(57)【要約】【課題】本発明は、容器と剥がした蓋との間の密閉状態を確保するために皿等を用いなくても、蓋と容器との間の密閉性を確保することができる熱湯注入食品用容器の蓋を提供するものである。【解決手段】内部に食品を収容するための本体１４とその上部外周に外側に突出するフランジ部１６とを有する容器１０と、容器１０の内部を密閉する蓋３０とから成るものであり、蓋３０に容器１０の上部外縁より外側に突出する突起部３６を形成する。容器１０内に熱湯を入れた後、突起部３６をフランジ部１６の下面４や本体１４の側面外壁４２側に折曲げる。これによって、蓋３０が容器１０から剥がれることなく取付けられる。【選択図】図１
2013129429.tif 000002
【特許請求の範囲】
【請求項１】
内部空間に食品を収容するための本体とその本体の上部外周に外側に突出するフランジ部とを有する容器の上面を密閉する蓋において、前記容器に接着した状態において前記容器の上面外縁より外側に突出するものであって折り曲げた際に前記フランジ部における側面外縁部から下面に向けて折れ曲がる折曲げ保持部を前記蓋に一体に形成したことを特徴とする熱湯注入食品容器の蓋。
【請求項２】
前記蓋にその蓋の外縁より外側に突出する開封用プルタブを形成するものにおいて、前記開封用プルタブの両側に一対または複数対の前記折曲げ保持部を設けたことを特徴とする請求項１記載の熱湯注入食品用容器の蓋。
【請求項３】
前記折曲げ保持部が前記フランジ部の下面に位置する状態において、前記折曲げ保持部の先端が前記容器の前記本体の側面外壁に接触する長さとしたことを特徴とする請求項１または２記載の熱湯注入食品用容器の蓋。
【請求項４】
前記折曲げ保持部の位置に対応する前記蓋の外縁の長さが、前記蓋の外縁全体の長さの１／５以上の連続する長さとしたことを特徴とする請求項１記載の熱湯注入食品用容器の蓋。
【請求項５】
前記折曲げ保持部が前記フランジ部の下面に位置する状態において、前記折曲げ保持部の先端が前記容器の前記本体の側面に接触する長さとしたことを特徴とする請求項４記載の熱湯注入食品用容器の蓋。
【請求項６】
前記蓋にその蓋の外縁より外側に突出する開封用プルタブを形成するものにおいて、前記折曲げ保持部の位置に対応する前記蓋の外縁の長さの中央の位置に前記開封用プルタブを設けたことを特徴とする請求項４または５記載の熱湯注入食品用容器の蓋。
【発明の詳細な説明】
【技術分野】
【０００１】
本発明は、容器内のインスタント食品に熱湯を注いだ際に、容器内の熱湯と外部とを遮断するための熱湯注入食品容器用の蓋に関する。
【背景技術】
【０００２】
従来からインスタント食品を食べる場合の手順は、麺等の食品を入れた容器の蓋を開口目安線（一般には蓋の面積のほぼ半分の位置）まで開け、容器内に熱湯を注ぎ、その後、容器を蓋で閉じて熱湯で容器内の食品を加熱し、数分（例えば３〜４分）後に食べ頃の食品とするものである。このように、容器内に熱湯を注いで、その後蓋を閉めて、熱湯で食品を３〜４分加熱して食べ頃とするインスタント食品の容器とその蓋とが従来から知られている（特許文献１）。
【０００３】
インスタント食品等を入れる容器は蓋で密封されるものであるが、蓋に塗布される接着剤によって容器と蓋とが接着される。熱湯を注ぐ際に、蓋を開口目安線まで開けて、その蓋を開けた箇所から容器内に熱湯を注ぐものである。蓋と容器の素材は、蓋が容器から一旦剥がされた後は、容器の上面に蓋を接触させて圧力を加えても、蓋と容器とが二度と接着しないようなものに設定されている。
【０００４】
ここで従来既知の熱湯注入食品用容器及びその蓋について、図５乃至図７に基づいて説明する。図５は容器の平面図、図６は容器の要部断面図、図７は蓋の表面と裏面を示す正面図である。インスタント食品等の食品（図示せず）を入れる容器１０は、例えば平面から見て円形形状のものとして説明する。容器１０は、食品（図示せず）を収容するための内部空間１２を有する本体１４と、本体１４の上端には、直径方向の外側に突出する環状のフランジ部１６が一体に形成されている。環状のフランジ部１６の側面は、側面外縁部１８となっており、環状のフランジ部１６の外径、即ち側面外縁部１８の直径を“ｄ”とする。
【０００５】
図７は、蓋２０の表面と裏面を表わすもので、蓋２０の裏面には環状で幅ｂの接着剤２２が塗布されている。環状の幅ｂの接着剤２２の外縁は、蓋２０（フランジ部１６）の外縁と一致するか又はほぼ一致するように設定されている。蓋２０は、基部２４（平面から見た容器１０の外形形状と同じ形状、即ち円形形状）と、基部２４と一体に形成され基部２４から外方に突出する開封用プルタブ２６とから成るものである。接着剤２２は基部２４に塗布されている。開封用プルタブ２６は、蓋２０を容器１０から剥がすために、蓋２０の外縁の一部を外部に突出させたものである。蓋２０の外縁は、開封用プルタブ２６以外の箇所は、容器１０のフランジ部１６の直径ｄと同じ直径ｄに設定されている。図６に示すフランジ部１６の上面２８の半径方向の幅は、蓋２０の裏面に塗布される環状の幅ｂとほぼ同一幅ｂになるように設定されている。即ち、フランジ部１６の上面２８である幅ｂの環状の形状と、蓋２０の裏面に塗布される接着剤２２の幅ｂの環状の形状とは、ほぼ同一形状になるように設定されている。蓋２０の表面には、一般には蓋２０の基部２４の面積のほぼ半分の位置に開口目安線２９（図７）が表示されている。
【先行技術文献】
【特許文献】
【０００６】
【特許文献１】特開２００８−９５５４７
【発明の概要】
【発明が解決しようとする課題】
【０００７】
インスタント食品を食べる場合には、蓋２０を開口目安線２９まで開けて容器１０内に熱湯を注ぎ込み、その後、蓋２０を閉じなければならない。ここで、容器１０から剥がれた蓋２０を容器１０に接合させようとしても、一度剥がれた蓋２０は容器１０に接合使用とせず、容器１０内の蒸気によって、開けた箇所の蓋２０が捲れ上がって反対側に反った状態となる。このため、蓋２０で容器１０内の食品を３〜４分間密閉させるために、従来から一般に、蓋２０の上から皿等を被せて、剥がした蓋２０と容器１０との間に隙間ができないようにして、蓋２０と容器１０との密閉性を確保している。自宅や会社等の室内では、蓋２０の上から被せる皿等を容易に用意することはできるが、屋外では皿等を用意することができず、蓋２０と容器１０との密閉性を確保できない場合がある。この場合には、蓋２０と容器１０との密閉性を確保できないため、３〜４分で食品を食べ頃にすることができず、どれだけの時間で食べ頃にできるか分からないという欠点があった。
【０００８】
本発明は、容器と剥がした蓋との間の密閉状態を確保するために皿等を用いなくても、蓋と容器との間の密閉性を確保することができる熱湯注入食品用容器の蓋を提供することを目的とする。
【課題を解決するための手段】
【０００９】
本発明に係る熱湯注入食品用容器の蓋は、内部空間に食品を収容するための本体とその本体の上部外周に外側に突出するフランジ部とを有する容器の上面を密閉する蓋において、前記容器に接着した状態において前記容器の上面外縁より外側に突出するものであって折り曲げた際に前記フランジ部における側面外縁部から下面に向けて折れ曲がる折曲げ保持部を前記蓋に一体に形成したことを特徴とするものである。本発明に係る熱湯注入食品用容器の蓋は、前記蓋にその蓋の外縁より外側に突出する開封用プルタブを形成するものにおいて、前記開封用プルタブの両側に一対または複数対の前記折曲げ保持部を設けたことを特徴とするものである。本発明に係る熱湯注入食品用容器の蓋は、前記折曲げ保持部が前記フランジ部の下面に位置する状態において、前記折曲げ保持部の先端が前記容器の前記本体の側面外壁に接触する長さとしたことを特徴とするものである。本発明に係る熱湯注入食品用容器の蓋は、前記折曲げ保持部の位置に対応する前記蓋の外縁の長さが、前記蓋の外縁全体の長さの１／５以上の連続する長さとしたことを特徴とするものである。本発明に係る熱湯注入食品用容器の蓋は、前記折曲げ保持部が前記フランジ部の下面に位置する状態において、前記折曲げ保持部の先端が前記容器の前記本体の側面に接触する長さとしたことを特徴とするものである。本発明に係る熱湯注入食品用容器の蓋は、前記蓋にその蓋の外縁より外側に突出する開封用プルタブを形成するものにおいて、前記折曲げ保持部の位置に対応する前記蓋の外縁の長さの中央の位置に前記開封用プルタブを設けたことを特徴とするものである。
【発明の効果】
【００１０】
本発明によれば、蓋の外縁から外部に突出する折曲げ保持部を蓋に一体に形成する。折曲げ保持部は、蓋の外縁より外部に突出する複数個の突起部か、容器の外縁より大きい連続した長さの外縁とする。これによって、容器内に熱湯を投入した後、折曲げ保持部を容器のフランジ部の下面に向かって（外部に突出する長さが大きい場合にはフランジ部の下面を経て容器本体の側面外壁に向かって）折り曲げる。蓋は外力によって折り曲げられた形状を保つので、蓋の折曲げ保持部がフランジ部に係合して、蓋がフランジ部より外れることがなく、蓋自体を折り曲げることで蓋が容器からはずれないようにすることができる。よって、容器内のインスタント食品を食べ頃になるまでに容器の開口部を蓋で閉じる場合に、従来のように蓋の上から置く重しとしての皿等の必要性を無くすことができる。
【図面の簡単な説明】
【００１１】
【図１】本発明に係る熱湯注入食品用容器の蓋の一実施例を示す表面と裏面の平面図である。
【図２】本発明に係る熱湯注入食品用容器の蓋の容器に対する蓋の変形状態を示す断面図である。
【図３】本発明に係る熱湯注入食品用容器の蓋の他の実施例を示す表面と裏面の平面図である。
【図４】図４に示す蓋を使用して容器を覆った状態を示す要部側面図である。
【図５】従来や本発明で使用する熱湯注入食品用容器の平面図である。
【図６】図５の容器の要部断面図である。
【図７】従来の熱湯注入食品容器を密閉するための蓋の表面と裏面を示す平面図である。
【発明を実施するための最良の形態】
【００１２】
本発明に係る熱湯注入食品用容器の蓋は、容器のフランジ部の下面に折り曲げられる折曲げ保持部を蓋に形成して、蓋の折曲げ保持部で一度剥がした蓋を容器に取付けるようにしたものである。
【実施例１】
【００１３】
次に本発明を図面に基づいて説明する。
図１は本発明に係る熱湯注入食品用容器の蓋の一実施例を示す表面と裏面の平面図、図２は本発明に係る熱湯注入食品用容器に対する蓋の変形状態を示す断面図である。この図１や図２において、図５乃至図７と同一参照番号は同一部材を示す。この第一実施例では、容器の平面形状は円形として説明する。即ち、本発明の第一実施例で使用する容器は図５に示す容器１０と同じものを使用する。容器１０（図５）は、本体１４の上端に直径方向の外側に突出する環状のフランジ部１６を一体に形成したものである。フランジ部１６の上端の上面２８は平面から見て幅ｂの環状である。平面から見た容器１０の最大外径（直径）を“ｄ”とする。本発明の上面とは、フランジ部１６と本体１４との境界箇所も含むものとする。
【００１４】
本発明で使用する蓋３０は、図１に示すように、容器１０（フランジ部１６）の直径ｄと同じ直径ｄの円形の基部３２（平面から見た容器１０の外形形状と同じ形状、即ち円形形状）を有し、その円形の基部３２には、円形の外縁より外方に突出する１個の開封用プルタブ３４を一体に形成する。蓋３０の裏面の基部３２には、外径ｄで幅ｂの環状の接着剤２２が塗布されている。環状の幅ｂの接着剤２２の外縁は、蓋２０（フランジ部１６）の外縁と一致するか又はほぼ一致するように設定されている。ここまでの構成は従来と同じ構成である。本発明の蓋３０では、開封用プルタブ３４の両側にそれぞれ、開封用プルタブ３４と間隔を開けて、１対または複数対の舌状の突起部３６が基部３２の外縁より半径方向外側に突出するように基部３２に一体に形成したものである。蓋３０の表面の基部３２には、一般には蓋３０の基部３２の面積のほぼ半分の位置に開口目安線２９が表示されている。突起部３６は蓋を容器に固定させるための折曲げ保持部である。開封用プルタブ３４も蓋を容器に固定させるための折曲げ保持部として機能しても良い。
【００１５】
食品を内蔵した状態で容器１０に蓋３０をすると、図１や図２（ａ）に示すように、平面から見て容器１０より半径方向外側に、蓋３０の突起部３６が突出した状態となる。その後、容器１０を蓋３０で密閉したものは、突起部３６を折り曲げた状態でフィルム３８によって覆われて販売される（図２（ｂ））。容器１０内の食品を食べる場合には、フィルム３８を外して、開封用プルタブ３４を容器１０から持ち上げて、蓋３０を開口目安線２９まで剥離する。蓋３０を開いた箇所から熱湯を所定の量だけ容器１０内に注ぎ入れる。その後、剥がした箇所の蓋３０を容器１０（フランジ部１６）の上面２８に接合させる。そして、開封用プルタブ３４と一対または複数対の突起部３６を、フランジ部１６の外周先端部１８とフランジ部１６の下面４０と容器１０の本体１４の側面外壁４２側に向けて折り曲げ、開封用プルタブ３４と突起部３６とをそれらに接触させるようにする（図２（ｃ））。蓋３０は、外力を加えると変形し、外力を外しても変形した状態を保つものとする（従来既知の蓋１０も同じ働きをする）。このことから、開封用プルタブ３４と一対または複数対の突起部３６をフランジ部１６の下面４０側に折り曲げることによって、蓋３０はフランジ部１６の上面２８と下面４０とを挟んだ状態に変形して、フランジ部１６を挟持することになる（図２（ｃ））。従って、皿等を蓋３０の上に載せなくても、蓋３０が容器１０から離れることが無く、容器１０内の食品を熱湯で所定の時間で食べ頃に加熱することができる。
【００１６】
なお、図２（ｃ）においては、開封用プルタブ３４や突起部３６は、フランジ部１６の下面４０と容器本体１４の側面外壁４２に接触する状態を示した。開封用プルタブ３４や突起部３６は、少なくともフランジ部１６の下面４０に接触する長さであれば良い。しかし、開封用プルタブ３４や突起部３６は、フランジ部１６の下面４０に接触するだけでなく、その長さが容器本体１４の側面外壁４２に接触させる方が望ましい。突起部３６の外側への突出長さは、開封用プルタブ３４の突出長さと同じであっても、開封用プルタブ３４の突出長さよりも長くても良い。
【００１７】
容器１０の平面から見た形状を円形として説明したが、その形状を楕円形や四角形（角部をＲにしたもの）のものであっても、本発明は適応することができる。
【実施例２】
【００１８】
次に本発明の実施例２について説明する。前記実施例１では、開封用プルタブ３４の位置と突起部３６の位置との間や、突起部３６の位置と開口目安線２９の位置（開口目安線２９まで蓋３０を開けた場合）との間や、複数対の突起部３６の場合には突起部３６位置同士の間において、蓋３０と容器１０の間に隙間ができ、容器１０の内部と外部との間に空気が流通するおそれが発生する。容器１０の内部と外部との間に空気が流通しても食品の加熱には支障が少ないが、容器１０の内部と外部との間に空気が流通しない方が食品を有効に加熱することができる。本発明の実施例２では、容器１０の内部と外部との間に空気が流通しないようにするものである。
【００１９】
図３は本発明に係る熱湯注入食品用容器の蓋に用いる蓋の実施例２を示す表面と裏面とを示す平面図である。この図３において、図１や図２と同一参照番号は同一部材を示す。この実施例２でも、容器は図５に示す容器１０と同じものを使用する。
【００２０】
図３に示すように、実施例２の蓋４４は、容器１０のフランジ部１６の直径ｄと同じ直径ｄの円弧状の第一外形縁４６と、その直径ｄより径大の直径Ｄの連続した円弧状の第二外形縁４８を有する。直径ｄの円弧状の部分外形４２の中心位置と直径Ｄの円弧状の第二外形縁４８の中心位置とは同一（点Ｏ）とする。径大の直径Ｄの円弧状の第二外形縁４８の中央位置に、第二外形縁４８より半径方向外側に突出する開封用プルタブ５０を設ける。蓋４４の上面に開口目安線２９を表示する場合には、開口目安線２９の両端又はその両端の延長線が、直径Ｄの円弧状の第二外形縁４８と交差するように設定する。蓋４４の裏面の基部５２（平面から見た容器１０の外形形状と同じ形状、即ち円形形状）には、外径ｄで幅ｂの環状の接着剤２２が塗布されている。環状の幅ｂの接着剤２２の外縁は、蓋２０（フランジ部１６）の外縁と一致するか又はほぼ一致するように設定されている。
【００２１】
蓋４４の裏面において、基部５２の外縁位置（環状の接着剤２２の外縁と一致するか又はほぼ一致する）より外側と第二外形縁４８より内側の間には、円弧状で幅Ｅの領域を折曲げ領域５４とする。この折曲げ領域５４は蓋を容器に固定させるための折曲げ保持部である。開口目安線２９がある場合には、開口目安線２９まで蓋４４を捲っても、折曲げ領域５４の両端が容器１０から剥がれることが無い（容器１０と接着剤２２が接着している）ように、円弧状の折曲げ領域５４の長さを設定する。なお、蓋４４の外形縁は、直径ｄの円弧状の第一外形縁４６と、直径Ｄの円弧状の第二外形縁４８とを有するとしたが、外縁の全てが直径Ｄの円弧状の第二外形縁４８としても良い。
【００２２】
開口目安線２９がある場合に、その開口目安線２９の両端は、第二外形縁４８と交差する位置に設定する（第一外形縁４６と交差しないようにする）。目安線が無い場合には、第二外形縁４８の長さは、容器１０のフランジ部１６の外縁全体の長さの１／５の長さ以上とする。第二外形縁４８の長さをそれ以上小さくすると、蓋４４を剥がす面積が小さくなって、容器１０内に熱湯が注ぎにくくなる。
【００２３】
なお、折曲げ領域５４（第二外形縁４８）に開封用プルタブ３４は、設けても設けなくても良い。それは、円弧状の折曲げ領域５４が容器１０のフランジ部１６の外縁より外側に突出した状態となっているので、折曲げ領域５４の中心位置を持って蓋４４を剥がせば、蓋４４を剥がすことができる。しかし、折曲げ領域５４（第二外形縁４８）より外側に突出する開封用プルタブ３４を設ければ、そこから蓋４４を捲る目安とすることができ、蓋４４の剥がし箇所を折曲げ領域５４の範囲内に収めることができる。
【００２４】
この実施例２において、容器１０内に熱湯を入れる場合には、開封用プルタブ５０を持ち上げて、蓋４４を開口目安線２９の位置まで容器１０から剥離する。開口目安線２９が無いものにおいては、折曲げ領域５４の両側が容器から剥がれない適宜位置まで蓋４４を捲る。容器１０内に所定の量だけ熱湯を入れた後、捲った箇所の蓋４４を容器１０のフランジ部１６の上端縁２８に接合させ、その後、折曲げ領域５４をフランジ部１６の外周先端部１８とフランジ部１６の下面４０と容器本体１４の側面外壁４２に向けて折り曲げ、折曲げ領域５４をフランジ部１６の下面４０と容器本体１４の側面外壁４２に接合させる（図２（ｃ））。蓋４４の素材は、変形状態を保つものであるから、折曲げ領域５４は、フランジ部１６の下面４０や容器本体１４の側面外壁４２と接合する。蓋４４はフランジ部１６の上面２８と下面４０とを挟んだ状態となり、蓋４４の折曲げ領域５４はフランジ部１６の下面から外れることは無い（図２（ｃ））。フランジ部１６の上面２８と下面４０とを挟んだ状態となる蓋４４（折曲げ領域５４）は、容器１０から剥離した箇所の蓋４４の全域にわたっているので、容器１０の内部空間１２と外部との間に隙間が発生することはなく、容器１０の内部空間１２と外部とを完全に遮断することができる。
【００２５】
円弧状の折曲げ領域５４は、内側の円弧の曲率半径よりも外側の円弧の曲率半径よりが大きいので、図４に示すように、容器本体の側面外壁４２に接蓋４４は変形がそのまま保たれる素材で構成されているので、容器１０内の蒸気で蓋４４に開く方向の力がかかっても、この幾つもの重なり部５０が抵抗となって、蓋４４が開かれるのを防止することができる。この結果、容器１０の内部空間１２と外部とを完全に遮断することができ、皿等を蓋４４の上に載せなくても、容器１０内の食品を所定の時間で食べ頃に加熱することができる。
【００２６】
なお、実施例２においても、平面から見た容器１０の形状を円形として説明したが、その形状を楕円形や四角形（角部をＲにしたもの）であっても、本発明は適応することができる。これらの形状で、開口目安線２９がある場合でも無い場合でも、第二外形縁４８の長さは、容器のフランジ部の外縁全体の長さの１／５の長さ以上とする。
【符号の説明】
【００２７】
１０  容器
１２  内部空間
１４  本体
１６  フランジ部
１８  側面外縁部
２８  上面
３０  蓋
３２  基部
３４  開封用プルタブ
３６  突起部
４０  下面
４２  側面外壁
４４  蓋
４６  第一外形縁
４８  第二外形縁
５０  開封用プルタブ
５２  基部
５４  折曲げ領域
５６  重なり部
【図１】
2013129429.tif 000003
【図２】
2013129429.tif 000004
【図３】
2013129429.tif 000005
【図４】
2013129429.tif 000006
【図５】
2013129429.tif 000007
【図６】
2013129429.tif 000008
【図７】
2013129429.tif 000009